(57)【特許請求の範囲】
【請求項１】
操作ノブ装着孔を有する遮光性材料からなる基材と、
前記基材の前面に射出成形により一体に設けられた透光性材料からなる合成樹脂シートと、
前記基材の装着孔を貫通する回転軸を有し、複数の操作位置に操作される操作ノブと、
該操作ノブに設けられて前記操作位置を指し示す透光性材料からなる指標部と、
前記操作ノブ背面側から前記指標部を照明する光源と
を備えた操作パネルにおいて、
前記基材の装着孔から前記操作ノブの背面側の空間を通って前記回転軸まで前記合成樹脂シートを延設して、前記操作ノブの回転軸が貫通する貫通孔を設け、
前記指標部と前記光源との間の前記剛性樹脂シートの貫通孔の周囲に調光部を設け、該調光部に、前記光源からの光を調光するための印刷を施すとともに、
前記基材に、前記光源からの光が操作パネルの前面側に漏れるのを防止する凸部を、前記合成樹脂シートに形成された前記装着孔の周囲に位置する成形孔を通って操作ノブに向かって突出するように設けたことを特徴とする操作パネル。
【発明の詳細な説明】
【０００１】
【発明の属する技術分野】
本発明は、車両に用いられる操作パネル、特に車両用ヒータコントロールパネルに関するものである。
【０００２】
【従来の技術】
従来の操作パネル、特に車両用ヒータコントロールパネルは、操作ノブを複数の操作位置に切り換えて風量や風向などを調節していた。この操作ノブには操作位置を指し示す指標部が設けられており、さらに、夜間でも切換え位置が分るように指標部を透光性材料から形成し、操作パネル背面側から光源により照明していた。
【０００３】
【発明が解決しようとする課題】
しかしながら、前記操作パネルでは、操作ノブを切り換えると光源から操作ノブの指標部までの距離が変化し、操作位置によって指標部の照明ムラが生じるという問題があった。この照明ムラを改善するものとして、従来の操作パネルでは、操作ノブの背面側に光源からの光を調光するためのレンズまたは遮蔽板等の別部材を設けたものがある。しかし、微妙な調光が難しく、部品点数が増加して組付け工程も複雑になるという問題があった。
【０００４】
そこで、本発明は、操作位置によって指標部の照明ムラが生じない操作パネルを提供することを課題とする。
【０００５】
【課題を解決するための手段】
本発明は、前記課題を解決するための手段として、
操作ノブ装着孔を有する遮光性材料からなる基材と、
前記基材の前面に射出成形により一体に設けられた透光性材料からなる合成樹脂シートと、
前記基材の装着孔を貫通する回転軸を有し、複数の操作位置に操作される操作ノブと、
該操作ノブに設けられて前記操作位置を指し示す透光性材料からなる指標部と、
前記操作ノブ背面側から前記指標部を照明する光源と
を備えた操作パネルにおいて、
前記基材の装着孔から前記操作ノブの背面側の空間を通って前記回転軸まで前記合成樹脂シートを延設して、前記操作ノブの回転軸が貫通する貫通孔を設け、
前記指標部と前記光源との間の前記剛性樹脂シートの貫通孔の周囲に調光部を設け、該調光部に、前記光源からの光を調光するための印刷を施すとともに、
前記基材に、前記光源からの光が操作パネルの前面側に漏れるのを防止する凸部を、前記合成樹脂シートに形成された前記装着孔の周囲に位置する成形孔を通って操作ノブに向かって突出するように設けたものである。
【０００６】
前記発明では、指標部と光源との間に設けられた透光性材料からなる調光部に光源からの光を調光する印刷を施したので、操作ノブを切り換えても指標部の照明ムラが生じないように光を調光することができる。
【０００７】
前記調光部は、前記基材の装着孔から前記操作ノブの背面側に延設した前記合成樹脂シートの一部であるので、部品点数を増加させることを回避できる。
【０００８】
【発明の実施の形態】
以下、本発明の実施の形態を添付図面にしたがって説明する。
【０００９】
図１は、本発明にかかる操作パネルである車両用ヒータコントロールパネル１を示す。この車両用ヒータコントロールパネル１の背面側には、２つの光源２ａ，２ｂが設けられ、前記車両用ヒータコントロールパネル１を背面側から照明するようになっている。また、車両用ヒータコントロールパネル１の前面には、３つの操作ノブである送風モード切換用ロータリースイッチ３ａ、風量調節をするための風量調節ロータリースイッチ３ｂおよび温度調節用ロータリースイッチ３ｃが設けられ、車両用ヒータコントロールパネル１の背面側に配置された図示しない送風モード切換用装置、風量調節用装置および温度調節用装置に接続されている。
【００１０】
ロータリースイッチ３ａは、図２に示すように、お互いに一体であるつまみ部４ａと回転軸５ａとからなる。前記回転軸５ａは、透光性樹脂材料からなり前記図示しない送風モード切換用装置に対して回動可能に取り付けられている。このロータリースイッチ３ａを操作位置に切り換えると、前記送風モード切換手段が連動して送風モード切換が行なわれるようになっている。
【００１１】
また、前記回転軸５ａには、前記つまみ部４ａに形成された孔に嵌合して露出する指標部６ａが一体成形されている。前記光源２ａ，２ｂからの光が、この指標部６ａを介して車両用ヒータコントロールパネル１前面側に透光することにより、ロータリースイッチ３ａの操作位置を指し示すようになっている。また、前記ロータリースイッチ３ｂおよび３ｃの構造はロータリースイッチ３ａと同様であるので、ロータリースイッチ３ｂ，３ｃの説明は対応する符号を付すことにより省略する。
【００１２】
また、前記車両用ヒータコントロールパネル１は、図２に示すように、遮光性材料からなる基材８とその前面に一体に設けられた合成樹脂シート９とからなる。前記基材８は、図３に示すように、合成樹脂シート９の表示部９ａ，９ｂ，９ｃに対応する位置に開口部１０ａ，１０ｂ，１０ｃと、前記ロータリースイッチ３ａ，３ｂ，３ｃを位置決めするための装着孔１１ａ，１１ｂ，１１ｃとが形成されている。この装着孔１１ａ，１１ｂ，１１ｃの縁部には前記操作ノブ３ａ，３ｂ，３ｃのガタツキ防止および前記光源２ａ，２ｂからの光が車両用ヒータコントロールパネル１前面側に漏れるのを防止するための複数の凸部１２と、前記ロータリースイッチ３ａ，３ｂ，３ｃの回動を規制するためのストッパー凸部１３とがそれぞれ設けられている。
【００１３】
前記合成樹脂シート９は、図４に示すように、透光性の合成樹脂材料からなり、表示部９ａ，９ｂ，９ｃ、背景部１４および調光部１５ａ，１５ｂ，１５ｃを有する。表示部９ａ，９ｂ，９ｃは、操作位置を示す文字や絵などが透光性インクを用いてスクリーン印刷され、残りの部分が遮光性インクでスクリーン印刷されている。これにより、前記光源２ａまたは２ｂから照明されると操作位置を示す文字や絵だけが明るく見えるようになっている。また、背景部１４は、遮光性インクでスクリーン印刷されている。
【００１４】
前記調光部１５ａ，１５ｂ，１５ｃは、前記ロータリースイッチ３ａ，３ｂ，３ｃの背面側に位置し、中央部分に前記ロータリースイッチ３ａ，３ｂ，３ｃの回転軸がそれぞれ貫通する貫通孔１６ａ，１６ｂ，１６ｃが形成されている。また、表示部９ａ，９ｂ，９ｃとの間には、後述する射出成形時に前記基材８の成形材料が通過して前記凸部１２およびストッパー凸部１３を形成するための複数の成形穴１８が形成されている。調光部１５ａ，１５ｂ，１５ｃは、遮光性インクを用いてドット印刷が施されており、そのうち調光部１５ａは、図５に示すように、図中右方に比べて左方の方が光を良く通すようにドット印刷のドット径が小さく印刷されている。一方、調光部１５ｂは、左右に比べて中央付近が光を良く通すようにドット印刷されている。また、調光部１５ｃは、調光部１５ａと対称的に左方に比べて右方の方が光を良く通すようにドット印刷されている。
【００１５】
そして、基材８と合成樹脂シート９とを一体に貼り合わせる方法は、特許第２１２７３８３号において開示されているように、基材８を成形するための射出成形金型内にあらかじめ合成樹脂シート９を位置決めした後、基材８の成形材料を金型内に射出し、合成樹脂シート９と一体化させることが好ましい。
【００１６】
次に、前記構成からなる車両用ヒータコントロールパネル１の作用を説明する。
【００１７】
図１に示すように、ロータリースイッチ３ａが操作位置のヒート位置１７ａに切り換えられた場合、指標部６ａは光源２ａから遠い位置に位置する。このとき、光源２ａからの光は、図２中、一点鎖線で示すように、調光部１５ａのドット径が小さく印刷されている部分を介して指標部６ａを透光するので、十分な明るさが得られる。一方、ロータリースイッチ３ａが操作位置のデフロスタ位置１７ｂに切り換えられた場合、指標部６ａは光源２ａに近い位置に位置する。このとき、光源２ａからの光は調光部１５ａのドット径が大きく印刷されている部分を介して指標部６ａを透光するので、ドット径が小さく印刷されている部分を介して透光する場合と均一な明るさが得られる。このように、ロータリースイッチ３ａを切り換えて光源２ａからロータリースイッチ３ａの指標部６ａまでの距離が変化しても、照明ムラが生じない。このように、ドット印刷のドット径の大きさを調節することにより微妙な調光が容易に行なえる。
【００１８】
【発明の効果】
以上の説明から明らかなように、本発明によれば、操作ノブ装着孔を有する遮光性材料からなる基材と、記基材の前面に射出成形により一体に設けられた透光性材料からなる合成樹脂シートと、基材の装着孔を貫通する回転軸を有し、複数の操作位置に操作される操作ノブと、該操作ノブに設けられて操作位置を指し示す透光性材料からなる指標部と、操作ノブ背面側から指標部を照明する光源とを備えた操作パネルにおいて、基材の装着孔から操作ノブの背面側の空間を通って回転軸まで合成樹脂シートを延設して、操作ノブの回転軸が貫通する貫通孔を設け、指標部と光源との間の剛性樹脂シートの貫通孔の周囲に調光部を設け、該調光部に、前記光源からの光を調光するための印刷を施すとともに、基材に、光源からの光が操作パネルの前面側に漏れるのを防止する凸部を、合成樹脂シートに形成された装着孔の周囲に位置する成形孔を通って操作ノブに向かって突出するように設けたので、操作ノブが位置する操作位置によって指標部の照明ムラが生じない。
【００１９】
特に、調光部は、操作パネル前面に設けられた合成樹脂シートの一部であるので、従来の操作パネルのように、光源からの光を調光するためのレンズまたは遮蔽板等の別部材を設ける必要もない。また、部品点数を増加させることなく組付け工程が複雑になることを回避できる。
【図面の簡単な説明】
【図１】  本発明の実施形態に係る操作パネルの正面図。
【図２】  図１のＩ−Ｉ線断面図。
【図３】  図１の操作パネルの基材を示した正面図。
【図４】  図１の操作パネルの合成樹脂シートを示した正面図。
【図５】  図４の一部拡大図。
【符号の説明】
１  操作パネル
２ａ，２ｂ  光源
３ａ  ロータリースイッチ（操作ノブ）
６ａ  指標部
１５ａ  調光部
１７ａ，１７ｂ  操作位置
【図１】
0004098501.tif 000002
【図２】
0004098501.tif 000003
【図３】
0004098501.tif 000004
【図４】
0004098501.tif 000005
【図５】
0004098501.tif 000006